(57)【要約】【課題】３桁以上の１つの数値表示部にて、複数の加熱部のエラーコードを兼用して表示させること。【解決手段】第１加熱部２と第２加熱部３と第１数値表示部５と第１加熱領域８と第２加熱領域１０と第１接線１２とを備え、第２加熱部３のエラーコードを第１数値表示部５に表示する構成とすることで、本体１の上面の左右スペースを狭くすることができ、かつ、必要最小限の表示で対応する第１及び第２加熱部２、３のエラーコードを関連付けて表示することができる。【選択図】図１
2014149088.tif 000002
【特許請求の範囲】
【請求項１】
本体の上面に設けられ、被加熱物を下方から加熱する第１加熱部及び第２加熱部を備え、前記第１加熱部は前記被加熱物の温度を設定温度になるように調整する温度調整部と、前記第１加熱部と対応して前記本体の上面の手前側に設けられ前記設定温度を表示する３桁以上の第１数値表示部と、前記本体の上面に設けられ、前記第１加熱部で加熱可能な範囲となる第１加熱領域を表示する第１加熱領域表示部とを備え、前記第２加熱部は加熱出力を設定出力になるように調整する第２火力調整部と、前記第２加熱部と対応して前記本体の上面の手前側に設けられ、前記設定出力を表示する２桁以下の第２数値表示部と、前記本体の上面に設けられ前記第２加熱部で加熱可能な範囲となる第２加熱領域を表示する第２加熱領域表示部とを備え、前記本体の前面に垂直で前記第２加熱部が位置する側の前記第１加熱領域の接線である第１接線が前記第２加熱領域の外周と２点で交差すると共に、前記第２加熱部の故障あるいは誤使用を表示する３桁以上のエラーコードを前記第１数値表示部に表示するようにした加熱調理器。
【請求項２】
第１数値表示部は、第１加熱部と第２加熱部で同じ種類の故障あるいは誤使用が発生した場合に、互いに異なるエラーコードで表示するようにした請求項１に記載の加熱調理器。
【請求項３】
第１数値表示部は、第１加熱部と第２加熱部で同時に故障あるいは誤使用が発生した場合に、第１加熱部と第２加熱部のエラーコードを交互に表示するようにした請求項１または２に記載の加熱調理器。
【請求項４】
第１加熱部は、加熱出力を設定出力になるように調整する第１火力調整部を備え、第１数値表示部は、第１加熱部が正常動作中に第２加熱部で故障あるいは誤使用が発生した場合に、第１加熱部の正常動作時の表示と第２加熱部のエラーコードを交互に表示するようにした請求項１〜３のいずれか１項に記載の加熱調理器。
【発明の詳細な説明】
【技術分野】
【０００１】
本発明は、一般キッチンや業務用などに用いられる加熱調理器に関するものである。
【背景技術】
【０００２】
従来、この種の加熱調理器は、加熱部のある特定の状態を表示するときに、数値表示部を備えた加熱部では複数個の火力表示部と数値表示部をともに使用して表示し、数値表示部を備えていない加熱部では、複数個の火力表示素子を使用して表示するような構成となっている（例えば、特許文献１参照）。
【０００３】
図８は、特許文献１に記載された従来の加熱調理器の外観図を示すものである。左操作表示部２４と右操作表示部２５と後操作表示部２６は、各々の加熱部２１と加熱部２２と加熱部２３の加熱設定状態を示す火力表示部を備えている。さらに、左操作表示部２４と右操作表示部２５は３桁の数値表示部を備えており、設定した時間が経過すると加熱調理を終了するタイマ機能の残時間や、複数ある設定温度のうちで現在選択されている設定温度を表示する。
【先行技術文献】
【特許文献】
【０００４】
【特許文献１】特開２００９−１３４９１９号公報
【発明の概要】
【発明が解決しようとする課題】
【０００５】
しかしながら、前記従来の構成では、加熱部のある特定の状態を表示するときに、各加熱部で複数個の火力表示部と数値表示部を同時に使用して表示し、数値表示部を備えていない加熱部では、複数個の火力表示部を使用して前者と関連付けて表示しているが、使用者にとって一目で加熱部のある特定の状態を認識しにくいといった課題を有していた。
【０００６】
本発明は、前記従来の課題を解決するもので、複数個の加熱部を有する場合に、特定の加熱部が備えている３桁以上の数値表示部を他の加熱部のエラーコードと共用して表示させることができ、コストダウンを可能にする加熱調理器を提供することを目的とする。
【課題を解決するための手段】
【０００７】
前記従来の課題を解決するために、本発明の加熱調理器は、本体の上面に設けられ、被加熱物を下方から加熱する第１加熱部及び第２加熱部を備え、前記第１加熱部は前記被加熱物の温度を設定温度になるように調整する温度調整部と、前記第１加熱部と対応して前記本体の上面の手前側に設けられ前記設定温度を表示する３桁以上の第１数値表示部と、前記本体の上面に設けられ、前記第１加熱部で加熱可能な範囲となる第１加熱領域を表示する第１加熱領域表示部とを備え、前記第２加熱部は加熱出力を設定出力になるように調整する第２火力調整部と、前記第２加熱部と対応して前記本体の上面の手前側に設けられ、前記設定出力を表示する２桁以下の第２数値表示部と、前記本体の上面に設けられ前記第２加熱部で加熱可能な範囲となる第２加熱領域を表示する第２加熱領域表示部とを備え、前記本体の前面に垂直で前記第２加熱部が位置する側の前記第１加熱領域の接線である第１接線が前記第２加熱領域の外周と２点で交差すると共に、前記第２加熱部の故障あるいは誤使用を表示する３桁以上のエラーコードを前記第１数値表示部に表示するようにしたものである。
【０００８】
これによって、本体トッププレートの左右スペースを狭くすることができ、かつ、必要
最小限の表示で対応する加熱部のエラーコードを関連付けて表示することが可能であるので、使用者にとって視認性を損なうことなく省スペース化やコストダウン化が可能な加熱調理器を提供することができる。
【発明の効果】
【０００９】
本発明の加熱調理器は、必要最小限の表示で対応する加熱部のエラーコードを関連付けて表示することが可能であり、かつ、使用者にとって視認性を損なうことなく従来までの加熱調理器と同様の扱いが可能である。
【図面の簡単な説明】
【００１０】
【図１】本発明の実施の形態１における加熱調理器の上面図
【図２】本発明の実施の形態２における加熱調理器の第１加熱部の誤使用表示図
【図３】本発明の実施の形態２における加熱調理器の第２加熱部の誤使用表示図
【図４】本発明の実施の形態３における加熱調理器の第１加熱部の故障表示図
【図５】本発明の実施の形態３における加熱調理器の第２加熱部の故障表示図
【図６】本発明の実施の形態４における加熱調理器の第１加熱部の正常動作表示図
【図７】本発明の実施の形態４における加熱調理器の第２加熱部の故障表示図
【図８】従来の加熱調理器の外観図
【発明を実施するための形態】
【００１１】
第１の発明は、本体の上面に設けられ、被加熱物を下方から加熱する第１加熱部及び第２加熱部を備え、前記第１加熱部は前記被加熱物の温度を設定温度になるように調整する温度調整部と、前記第１加熱部と対応して前記本体の上面の手前側に設けられ前記設定温度を表示する３桁以上の第１数値表示部と、前記本体の上面に設けられ、前記第１加熱部で加熱可能な範囲となる第１加熱領域を表示する第１加熱領域表示部とを備え、前記第２加熱部は加熱出力を設定出力になるように調整する第２火力調整部と、前記第２加熱部と対応して前記本体の上面の手前側に設けられ、前記設定出力を表示する２桁以下の第２数値表示部と、前記本体の上面に設けられ前記第２加熱部で加熱可能な範囲となる第２加熱領域を表示する第２加熱領域表示部とを備え、前記本体の前面に垂直で前記第２加熱部が位置する側の前記第１加熱領域の接線である第１接線が前記第２加熱領域の外周と２点で交差すると共に、前記第２加熱部の故障あるいは誤使用を表示する３桁以上のエラーコードを前記第１数値表示部に表示する構成とすることで、必要最小限の表示で対応する加熱部のエラーコードを関連付けて表示することが可能であり、かつ、使用者にとって視認性を損なうことなく従来までの加熱調理器と同様の扱いが可能である。
【００１２】
第２の発明は、特に、第１の発明において、第１数値表示部は、第１加熱部と第２加熱部で同じ種類の故障あるいは誤使用が発生した場合に、互いに異なるエラーコードで表示する構成とすることで、必要最小限の表示で対応する加熱部の異なるエラーコードを兼用することができる。
【００１３】
第３の発明は、特に、第１または第２の発明において、第１数値表示部は、第１加熱部と第２加熱部で同時に故障あるいは誤使用が発生した場合に、第１加熱部と第２加熱部のエラーコードを交互に表示する構成とすることで、必要最小限の表示で対応する加熱部のエラーコードを兼用することができる。
【００１４】
第４の発明は、特に、第１〜３のいずれか１つの発明において、第１加熱部は、加熱出力を設定出力になるように調整する第１火力調整部を備え、第１数値表示部は、第１加熱部が正常動作中に第２加熱部で故障あるいは誤使用が発生した場合に、第１加熱部の正常動作時の表示と第２加熱部のエラーコードを交互に表示する構成とすることで、必要最小限の表示で対応する加熱部の加熱動作時とエラー発生時の表示を兼用することができる。
【００１５】
以下、本発明の実施の形態について、加熱調理器を例にして、図面を参照しながら説明する。なお、この実施の形態によって本発明が限定されるものではない。
【００１６】
（実施の形態１）
図１は、本発明の第１の実施の形態における加熱調理器の上面図である。
【００１７】
図１において、本体上面に設けられたセラミック製のトッププレートと、トッププレート下には、高周波磁界を発生させることによって、トッププレート上の調理容器を誘導加熱する加熱コイルを備える。
【００１８】
第１加熱部２は、調理容器の加熱動作及び揚げ物調理や焼き物調理を行う機能を有しており、温度調整部４は第１加熱部２を所定の温度に設定する操作部であり、第１数値表示部５は温度調整部４で使用者が設定した所定の加熱出力レベル及び調理温度を示す３桁以上の数値表示を有している。
【００１９】
第２加熱部３は、調理容器の加熱動作を行う機能を有しており、第２火力調整部６は第２加熱部３を所定の加熱出力レベルに設定する操作部であり、第２数値表示部７は第２火力調整部６で使用者が設定した所定の加熱出力レベルを示す２桁以下の数値表示を有している。
【００２０】
第１加熱領域表示部９は、第１加熱部２上に置かれた調理容器を所定の入力を持って加熱することができる領域を示す印となっており、弧形を形成している。第１加熱領域８は、第１加熱領域表示部９が形成する４つの弧形を円形で繋げる形で形成された第１加熱部２の加熱領域を示している。
【００２１】
第２加熱領域表示部１１は、第２加熱部３上に置かれた調理容器を所定の入力を持って加熱することができる領域を示す印となっており、弧形を形成している。第２加熱領域１０は、第２加熱領域表示部１１が形成する４つの弧形を円形で繋げる形で形成された第２加熱部３の加熱領域を示している。
【００２２】
第１加熱部２と第１加熱領域表示部９で構成される第１加熱領域８は円の中心を共有した同心円状となっており、第２加熱部３と第２加熱領域表示部１１で構成される第２加熱領域１０は円の中心を共有した同心円状となっている。
【００２３】
第１接線１２は、本体の前面に垂直で第２加熱部３が位置する側の第１加熱領域８の接線を示す。
【００２４】
第１数値表示部５は、第１加熱部２のエラーコードを表示すると共に、第２加熱部３のエラーコードも兼用して表示する。
【００２５】
以上のように構成された加熱調理器について、以下その動作、作用を説明する。
【００２６】
まず、必要最小限の表示で対応する加熱部のエラーコードを視認性を損なわずに兼用することができる。
【００２７】
以上のように、本実施の形態においては、本体の前面に垂直で第２加熱部３が位置する側の第１加熱領域８の接線である第１接線１２が第２加熱領域１０の外周と２点で交差すると共に、第２加熱部３の故障あるいは誤使用を表示する３桁以上のエラーコードを第１数値表示部５に表示する構成とすることにより、本体トッププレートの左右スペースを狭
くすることができ、かつ、必要最小限の表示で対応する加熱部のエラーコードを関連付けて表示することが可能であるので、使用者にとって視認性を損なうことなく省スペース化やコストダウン化が可能な加熱調理器を提供することができる。
【００２８】
また、本実施の形態においては加熱コイルから高周波磁界を発生させ、調理容器を誘導加熱する誘導加熱方式を採用しているが、加熱コイルの代わりにガスバーナーなどの加熱部を構成する加熱調理器においても同様の効果が得られる。
【００２９】
（実施の形態２）
図２は、本発明の第２の実施の形態における第１加熱部の誤使用表示図であり、図３は、本発明の第２の実施の形態における第２加熱部の誤使用表示図である。
【００３０】
図２と図３において、構成は図１と同様のため、説明は省略する。
【００３１】
以上のように構成された加熱調理器について、以下その動作、作用を説明する。
【００３２】
図２において、第１数値表示部５は、第１加熱部２が誤使用の状態となる場合に３桁のエラーコードを点灯して表示させる。
【００３３】
図３において、第１数値表示部５は、第２加熱部３が誤使用の状態となる場合に３桁のエラーコードを点灯して表示させる。
【００３４】
なお、図２と図３における動作は、第１加熱部２と第２加熱部３にて同じ種類の誤使用が発生した場合に、第１数値表示部５に互いに異なるエラーコードを表示するようにしており、本実施の形態においては操作部異常を例に挙げて説明を行ったが、エラーコードはこれに限定されるものではない。
【００３５】
以上のように、本実施の形態においては、第１数値表示部５は、第１加熱部２と第２加熱部３で同じ種類の故障あるいは誤使用が発生した場合に、互いに異なるエラーコードで表示する構成とすることにより、必要最小限の表示で対応する加熱部の異なるエラーコードを兼用することができる。
【００３６】
（実施の形態３）
図４は、本発明の第３の実施の形態における第１加熱部の故障表示図であり、図５は、本発明の第３の実施の形態における第２加熱部の故障表示図である。
【００３７】
図４と図５において、構成は図１と同様のため、説明は省略する。
【００３８】
以上のように構成された加熱調理器について、以下その動作、作用を説明する。
【００３９】
図４において、第１数値表示部５は、第１加熱部２が故障の状態となる場合に３桁のエラーコードを点灯して表示させる。
【００４０】
図５において、第１数値表示部５は、第２加熱部３が故障の状態となる場合に３桁のエラーコードを点灯して表示させる。
【００４１】
なお、図４と図５における動作は、第１加熱部２と第２加熱部３にて同時に故障が発生した場合に、第１数値表示部５に第１加熱部２と第２加熱部３のエラーコードを交互に表示するようにしており、本実施の形態においては第１加熱部２にサーミスタ断線、第２加熱部３にサーミスタ断線を例に挙げて説明を行ったが、エラーコードはこれに限定される
ものではない。
【００４２】
以上のように、本実施の形態においては、第１数値表示部５は、第１加熱部２と第２加熱部３で同時に故障あるいは誤使用が発生した場合に、第１加熱部２と第２加熱部３のエラーコードを交互に表示する構成とすることにより、必要最小限の表示で対応する加熱部のエラーコードを兼用することができる。
【００４３】
（実施の形態４）
図６は、本発明の第４の実施の形態における第１加熱部の正常動作表示図であり、図７は、本発明の第４の実施の形態における第２加熱部の故障表示図である。
【００４４】
図６と図７において、第１火力調整部１４は、第１加熱部２を所定の加熱出力レベルに設定する操作部である。その他の構成については、図１と同様のため、説明は省略する。
【００４５】
以上のように構成された加熱調理器について、以下その動作、作用を説明する。
【００４６】
図６において、第１数値表示部５は、使用者が第１火力調整部１４にて所定の加熱出力レベルに調整した数値を表示させる。
【００４７】
図７において、第１数値表示部５は、第２加熱部３が故障の状態となる場合に３桁のエラーコードを点灯して表示させる。
【００４８】
なお、図６と図７における動作は、第１加熱部２が正常動作で加熱しており、かつ、第２加熱部３にて故障が発生した場合に、第１数値表示部５に第１加熱部２の加熱出力レベル設定値と第２加熱部３のエラーコードを交互に表示するようにしており、本実施の形態においては第１加熱部２を設定火力９（３．３ｋＷ相当とする）、第２加熱部３にサーミスタ断線を例に挙げて説明を行ったが、設定火力及びエラーコードはこれに限定されるものではない。
【００４９】
以上のように、本実施の形態においては、第１加熱部は、加熱出力を設定出力になるように調整する第１火力調整部を備え、第１数値表示部は、第１加熱部が正常動作中に第２加熱部で故障あるいは誤使用が発生した場合に、第１加熱部の正常動作時の表示と第２加熱部のエラーコードを交互に表示する構成とすることにより、必要最小限の表示で対応する加熱部の加熱動作時とエラー発生時の表示を兼用することができる。
【産業上の利用可能性】
【００５０】
以上のように、本発明にかかる加熱調理器は、本体の上面の左右スペースを狭くする事ができ、かつ、第１数値表示部５で第１加熱部２と第２加熱部３のエラーコードあるいは加熱出力レベル設定値を交互に表示し兼用することができるので、組み込み式や置き台の上で使用する据え置き型、又はガスコンロ等で、家庭用又は業務用の加熱調理器に有効である。
【符号の説明】
【００５１】
１  本体
２  第１加熱部
３  第２加熱部
４  温度調整部
５  第１数値表示部
６  第２火力調整部
７  第２数値表示部
８  第１加熱領域
９  第１加熱領域表示部
１０  第２加熱領域
１１  第２加熱領域表示部
１２  第１接線
【図１】
2014149088.tif 000003
【図２】
2014149088.tif 000004
【図３】
2014149088.tif 000005
【図４】
2014149088.tif 000006
【図５】
2014149088.tif 000007
【図６】
2014149088.tif 000008
【図７】
2014149088.tif 000009
【図８】
2014149088.tif 000010